(57)【特許請求の範囲】
【請求項１】
建物の屋外に面する壁を貫通する貫通孔の屋外側に設置される屋外貫通孔カバーであって、
前記壁の屋外側の壁面に当接するフランジと、
前記フランジの裏面から突出形成され、前記貫通孔の内周面に嵌合して、前記貫通孔に対する前記フランジの取付位置を位置決めする、ガイド筒部と、
前記ガイド筒部よりも小径で、かつ、前記ガイド筒部よりも突出して形成され、前記貫通孔の内周面との間にコーキング材の充填空間を形成する、充填空間形成部とを、
備えてなる屋外貫通孔カバー。
【請求項２】
一方の面が前記ガイド筒部の先端に当接して、他方の面が前記充填空間の底面を形成する、ポリオレフィン系樹脂からなるシートが設けられる、請求項１に記載の屋外貫通孔カバー。
【請求項３】
前記屋外貫通孔カバーは、前記貫通孔から配線材または配管材を引き出すための引出しカバーである、請求項１または２に記載の屋外貫通孔カバー。
【発明の詳細な説明】
【技術分野】
【０００１】
この発明は、建物の壁を貫通する貫通孔を、屋外側で覆う屋外貫通孔カバーに関するものである。
【背景技術】
【０００２】
従来、建物の壁を貫通する貫通孔を屋外側で覆う屋外貫通孔カバーとして、貫通金具があった（例えば、特許文献１参照）。図６に示すように、この貫通金具２３は、給水管とか給湯管とか浴槽追焚き管とかの配管材２２が通る貫通孔２１ａに用いられるものであって、壁２１を貫通する貫通孔２１ａを覆うカバー２４と、貫通孔２１ａと嵌合するようにカバ２４ーから後方に突出した筒部２５と、カバー２４から前方に突出して配管材２２が挿入されるガイド部２６とからなっていた。そして、この貫通金具２３のカバー２４には、壁２１の屋外側の壁面２１ｂに当接する位置に、溝２４ａが設けられ、その溝２４ａに防水パッキン２７が嵌められた。
【先行技術文献】
【特許文献】
【０００３】
【特許文献１】特開２００３−２５４４７１号公報
【発明の概要】
【発明が解決しようとする課題】
【０００４】
ところで、前記従来の貫通金具２３にあっては、屋外側に配備されることから、貫通金具２３が合成樹脂製であると、カバー２４の厚みを透過する紫外線によって、防水パッキン２７が劣化し、防水性を損なう虞があった。また、貫通金具２３が合成樹脂製であるかないかに関わらず、壁面２１ｂが凹凸を有していると、防水パッキン２７による止水が機能しなくなる虞があった。
【０００５】
この発明は、上記した従来の欠点を解決するためになされたものであり、その目的とするところは、貫通孔に対する防水性を維持することができる屋外貫通孔カバーを提供することにある。
【課題を解決するための手段】
【０００６】
この発明に係る屋外貫通孔カバーは、前記目的を達成するために、次の構成からなる。すなわち、
請求項１に記載の発明に係る屋外貫通孔カバーは、建物の屋外に面する壁を貫通する貫通孔の屋外側に設置されるカバーである。この屋外貫通孔カバーは、前記壁の屋外側の壁面に当接するフランジと、前記フランジの裏面から突出形成され、前記貫通孔の内周面に嵌合して、前記貫通孔に対する前記フランジの取付位置を位置決めする、ガイド筒部と、前記ガイド筒部よりも小径で、かつ、前記ガイド筒部よりも突出して形成され、前記貫通孔の内周面との間にコーキング材の充填空間を形成する、充填空間形成部とを、備えてなる。
【０００７】
この屋外貫通孔カバーによると、フランジの裏面から突出するガイド筒部が、壁を貫通する貫通孔の内周面に嵌合して、フランジの取付位置を位置決めする。そして、ガイド筒部よりも小径であってそのガイド筒部よりも突出する充填空間形成部と、貫通孔の内周面との間が、コーキング材の充填空間となる。そこで、この充填空間にコーキング材を充填することで、この屋外貫通孔カバーと貫通孔との間が、止水される。ここで、充填空間は、ガイド筒部よりも、貫通孔の奥側にあることから、屋外貫通孔カバーが合成樹脂製であっても、その充填空間に充填されるコーキング材には、外から屋外貫通孔カバーを透過して侵入する紫外線が届きにくく、コーキング材が劣化しにくくなる。しかも、この屋外貫通孔カバーは、充填空間が貫通孔の内周面との間に形成されることから、止水にあたって、壁面との間にパッキンが設けられる場合と異なり、壁面の凹凸等の表面形状に左右されない。
【０００８】
また、請求項２に記載の発明に係る屋外貫通孔カバーのように、請求項１に記載の屋外貫通孔カバーにおいて、一方の面が前記ガイド筒部の先端に当接して、他方の面が前記充填空間の底面を形成する、ポリオレフィン系樹脂からなるシートが設けられてもよい。このシートの面が底面となる充填空間にコーキング材を充填すると、コーキング材は、底面を形成するシートには接着されることはなく、充填空間形成部の外周面と貫通孔の内周面との二面に接着される。このため、屋外貫通孔カバーに荷重や振動がかかったときに、コーキング材は、底面が接着されていないことから、屋外貫通孔カバーにかかる荷重や振動を効果的に吸収し、充填空間形成部の外周面や貫通孔の内周面との接着が剥がれにくい。
【０００９】
また、請求項３に記載の発明に係る屋外貫通孔カバーのように、請求項１または２に記載の屋外貫通孔カバーにおいて、その屋外貫通孔カバーは、前記貫通孔から配線材または配管材を引き出すための引出しカバーであってもよい。
【発明の効果】
【００１０】
この発明に係る屋外貫通孔カバーによれば、コーキング材の充填空間が、ガイド筒部よりも、貫通孔の奥側にあって、貫通孔の内周面との間に形成されることから、紫外線の影響や壁面の凹凸等の表面形状の影響を防ぐことができ、このため、屋外貫通孔カバーの、貫通孔に対する防水性を維持することができる。
【図面の簡単な説明】
【００１１】
【図１】この発明の一実施の形態の、断面図である。
【図２】同じく、屋外貫通孔カバーの斜視図である。
【図３】同じく、屋外貫通孔カバーの正面図である。
【図４】同じく、屋外貫通孔カバーの平面図である。
【図５】同じく、図４におけるＡ−Ａ線による断面図である。
【図６】従来の貫通金具を示す断面図である。
【発明を実施するための形態】
【００１２】
以下、この発明に係る屋外貫通孔カバーを実施するための形態を図面に基づいて説明する。
【００１３】
図１〜図５は、本発明の一実施の形態を示す。図中符号１は、建物の屋外Ｊに面する壁である。１ａは、前記壁１を貫通する貫通孔である。４は、前記貫通孔１ａの屋外Ｊ側に設置される屋外貫通孔カバーである。
【００１４】
この屋外貫通孔カバー４は、フランジ５０１と、ガイド筒部６と、充填空間形成部７とを備えている。ここで、フランジ５０１は、前記壁１の屋外Ｊ側の壁面１ｂに当接するものである。ガイド筒部６は、フランジ５０１の裏面から突出形成され、貫通孔１ａの内周面に嵌合して、貫通孔１ａに対するフランジ５０１の取付位置を位置決めするものである。そして、充填空間形成部７は、ガイド筒部６よりも小径で、かつ、ガイド筒部６よりも突出して形成され、貫通孔１ａの内周面との間（詳しくは、ガイド筒部６よりも突き出た外周面と貫通孔１ａの内周面との間）にコーキング材８の充填空間９を形成するものである。
【００１５】
また、この屋外貫通孔カバー４には、ポリオレフィン系樹脂からなるシート１０が設けられている。このシート１０は、一方の面が前記ガイド筒部６の先端に当接して、他方の面が前記充填空間９の底面を形成するシートである。
【００１６】
詳細には、屋外貫通孔カバー４は、貫通孔１ａから配線・配管材２、つまり配線材または配管材（図示実施の形態においては、配管材であって、例えば湯水が流れる通水管）を引き出すための引出しカバーである。すなわち、この屋外貫通孔カバー４は、建物の屋外Ｊに面する壁１を配線・配管材２が突き抜けるべく、前記壁１を貫通して配線・配管材２が挿通される、貫通孔１ａを、屋外Ｊ側において覆うものである。この屋外貫通孔カバー４は、前記ガイド筒部６および充填空間形成部７の他に、プレート５を有するカバー部１１と、内筒１２と、外筒１３とを備えている。ここで、プレート５は、その周囲側が、前記フランジ５０１となっており、このプレート５が、貫通孔１ａを覆うとともに壁１の屋外Ｊ側の壁面１ｂに当接する。内筒１２は、カバー部１１から前側に突出し、配線・配管材２が挿通されるものである。外筒１３は、カバー部１１から、内筒１２を囲むように前側に突出し、内筒１２との間に配線・配管材２を保護する保護管３が挿入可能となっている。そして、外筒１３は、その挿入された保護管３を抜止め状態に固定する固定部１４を有する。
【００１７】
また、この外筒１３内には、その外筒１３に挿入される保護管３の先端が当接してその保護管３の挿入を規制するように、外筒１３から内筒１２に渡る挿入規制面１５が設けられている。そして、外筒１３（詳しくは、後述する外筒本体１３ａ）には、挿入規制面１５に通ずる位置に、内筒１２と外筒１３との間に浸入した水を排出する排出口１３ｂが設けられている。なお、この排出口１３ｂは、保護管３の先端が挿入規制面１５に達していることを目視により確認するための、確認窓ともなっている。このため、保護管３を外筒１３内に挿入した際とか、保護管３を外筒１３に固定した後とかに、保護管３の挿入状態を確認することができる。
【００１８】
より詳細には、屋外貫通孔カバー４は、複数（図示実施の形態においては二つ）の配線・配管材２、２が挿通される貫通孔１ａを、屋外Ｊ側において覆うものであって、前記内筒１２は、配線・配管材２、２をそれぞれ挿通すべく複数（図示実施の形態においては二つ）設けられる。そして、外筒１３は、前記複数（図示実施の形態においては二つ）の内筒１２、１２をまとめて囲むように形成される。また、保護管３は、配線・配管材２に合わせて（つまりは、内筒１２の数に合わせて）、複数（図示実施の形態においては二つ）設けら、それら保護管３、３の先端部分が内筒１２、１２のそれぞれに被せられる。
【００１９】
具体的には、屋外貫通孔カバー４は、合成樹脂製であって、シート１０と固定部１４を除き一体に形成されている。プレート５は、方形板状に形成されるとともに、裏面が周縁部全周を除いて窪むように形成されている。そして、このプレート５の四隅（詳しくは、フランジ５０１）には、屋外貫通孔カバー４を壁１に取付固定するための取付孔５ａ、５ａがあけられている。
【００２０】
ガイド筒部６および充填空間形成部７は、このプレート５（詳しくは、フランジ５０１）の裏面から突出する。ここにおいて、貫通孔１ａは、円孔であって、ガイド筒部６は、貫通孔１ａに合うように、円形筒状に形成される。そして、充填空間形成部７は、ガイド筒部６よりも小径の筒状であって、詳細にはガイド筒部６と同心の円形筒状に形成される。そして、充填空間形成部７は、その先端側が開口する。なお、図示実施の形態においては、ガイド筒部６と充填空間形成部７との間に溝６ａが設けられているが、ガイド筒部６がこの溝６ａを埋めるように形成されても構わない。
【００２１】
シート１０は、平板状で、かつ環状に形成されている。このシート１０は、その内周面が、充填空間形成部７の外周面に嵌められ、外周面が、ガイド筒部６の外周面とほぼ面一となって、貫通孔１ａに嵌められる。
【００２２】
カバー部１１は、プレート５と、そのプレート５から前側に突出する突出部１１ａとから構成される。この突出部１１ａは、中空であって、その内部空間は、後方側が充填空間形成部７の内側に連通するように開口している。そして、突出部１１ａは、上向きとなるようプレート５に対して傾斜して形成されている。
【００２３】
内筒１２および外筒１３は、前記突出部１１ａとかプレート５から突出し、それら内筒１２および外筒１３は、上向きとなるようプレート５に対して傾斜して形成されている。詳細には、内筒１２は、突出部１１ａの頂壁１１ｂから突出する。この内筒１２は、両端が開口して、配線・配管材２は、この内筒１２と突出部１１ａと充填空間形成部７とを貫くようにそれらに挿通される。また、外筒１３は、下部側および両側部側が突出部１１ａの周壁１１ｃから延設され、上部側がプレート５から突出する。この外筒１３は、先端が開口し、基端側は、内筒１２との間が、前記頂壁１１ｂにより塞がっている。そこで、この頂壁１１ｂの外側の面が、前記挿入規制面１５となり、この挿入規制面１５は、内筒１２および外筒１３の延びる方向に直交するように形成されている。
【００２４】
ここにおいて、内筒１２は、円筒形状であって、二つが横に並び、外筒１３は、それら内筒１２、１２をまとめて囲むように、横長の筒形状をしている。また、外筒１３は、外筒本体１３ａと、その外筒本体１３ａの先端に取り付けられる前記固定部１４とからなる。外筒本体１３ａは、筒状に形成され、その先端部外周に鍔１３ｃを有している。固定部１４は、横長の環状に形成され、その内周には、外筒本体１３ａの鍔１３ｃに係合する係合溝１４ａと、保護管３に係合する係合凸部１４ｂとが設けられている。詳細には、保護管３は、凹凸が長手方向に繰り返される波付管であって、係合凸部１４ｂは、固定部１４の前記内周の中央にて、両側に円弧状のラインを形成するようにして内側方向に突き出て、前記波付管（保護管３）の凹部３ａに係合することとなる。また、固定部１４は、二つに（詳しくは、上下の二つに）分割された分割体１４ｃ、１４ｃからなり、これら分割体１４ｃ、１４ｃが、保護管３、３および外筒本体１３ａを挟むようにして組み付けられて、両分割体１４ｃ、１４ｃがビス等の固着具１６、１６により固定される。この際、係合溝１４ａが外筒本体１３ａの鍔１３ｃに係合することで、この固定部１４が、外筒本体１３ａに取り付けられ、係合凸部１４ｂが保護管３、３（詳細には、波の凹部３ａ、３ａ）に係合することで、保護管３、３を抜止め状態に固定する。
【００２５】
また、前記排出口１３ｂは、外筒１３の下部（詳しくは、側部の一部分を含む下部）に設けられる。図示実施の形態においては、排出口１３ｂは、各内筒１２の下方に設けられ、これら排出口１３ｂ、１３ｂは、挿入規制面１５に沿うようにして横長のスリット状に形成されている。
【００２６】
次に、以上の構成からなる屋外貫通孔カバー４の作用効果について説明する。この屋外貫通孔カバー４によると、プレート５が、壁１を貫通する貫通孔１ａを屋外Ｊ側から覆い、フランジ５０１の裏面から突出するガイド筒部６が、貫通孔１ａの内周面に嵌合して、フランジ５０１の取付位置を位置決めする。そして、ガイド筒部６よりも小径であってそのガイド筒部６よりも突出する充填空間形成部７と、貫通孔１ａの内周面との間が、コーキング材８の充填空間９となる。そこで、この充填空間９にコーキング材８を充填することで、この屋外貫通孔カバー４と貫通孔１ａとの間が、止水される。ここで、充填空間９は、ガイド筒部６よりも、貫通孔１ａの奥側にあることから、屋外貫通孔カバー４が合成樹脂製であっても、その充填空間９に充填されるコーキング材８には、外から屋外貫通孔カバー４を透過して侵入する紫外線が届きにくく、コーキング材８が劣化しにくくなる。しかも、この屋外貫通孔カバー４は、充填空間９が貫通孔１ａの内周面との間に形成されることから、止水にあたって、壁面１ｂとの間にパッキンが設けられる場合と異なり、壁面１ｂの凹凸等の表面形状に左右されない。すなわち、この屋外貫通孔カバー４によれば、コーキング材８の充填空間９が、ガイド筒部６よりも、貫通孔１ａの奥側にあって、貫通孔１ａの内周面との間に形成されることから、紫外線の影響や壁面１ｂの凹凸等の表面形状の影響を防ぐことができ、このため、屋外貫通孔カバー４の、貫通孔１ａに対する防水性を維持することができる。
【００２７】
また、充填空間形成部７と貫通孔１ａの内周面との間には、一方の面がガイド筒部６の先端に当接して、他方の面が充填空間９の底面を形成する、ポリオレフィン系樹脂からなるシート１０が設けられる。そこで、このシート１０の面が底面となる充填空間９にコーキング材８を充填すると、コーキング材８は、底面を形成するシート１０には接着されることはなく、充填空間形成部７の外周面と貫通孔１ａの内周面との二面に接着される。このため、屋外貫通孔カバー４に荷重や振動がかかったときに、コーキング材８は、底面が接着されていないことから、屋外貫通孔カバー４にかかる荷重や振動を効果的に吸収し、充填空間形成部７の外周面や貫通孔１ａの内周面との接着が剥がれにくくなる。
【００２８】
また、この屋外貫通孔カバー４は、壁１を貫通する貫通孔１ａから配線・配管材２を引き出すための引出しカバーであって、プレート５が、貫通孔１ａを屋外Ｊ側から覆うとともに、カバー部１１から前側に突出する内筒１２に配線・配管材２が挿通される。そして、カバー部１１から内筒１２を囲むように前側に突出する外筒１３と、内筒１２との間に、配線・配管材２を保護する保護管３が挿入される。そこで、雨水が、外筒１３の先端側からその外筒１３と保護管３との間に入り込むと、その雨水は、保護管３の先端を回ってその保護管３と内筒１２との間を通り、さらに、内筒１２の先端を回ってその内筒１２と配線・配管材２との間を通ることで、屋内へと浸入しようとする。しかし、外筒１３には、保護管３の挿入を規制する挿入規制面１５に通ずる位置に、排出口１３ｂが設けられている。このため、外筒１３と保護管３との間に入り込んだ雨水は、排出口１３ｂから外部に排出され、これにより、保護管３と内筒１２との間を内筒１２の先端側へと進む雨水の量は、減少する。このため、外筒１３からの雨水を屋内に浸入しにくくすることができる。
【００２９】
なお、本発明は、上述した実施の形態に限定されるわけではなく、その他種々の変更が可能である。例えば、コーキング材８の充填空間９の底面を形成するように、ポリオレフィン系樹脂からなるシート１０が設けられているが、このシート１０は、なくともよい。
【００３０】
また、外筒１３は、複数の内筒１２、１２をまとめて囲むものでなくとも、複数の内筒１２、１２を別々に囲むものであって、内筒１２、１２と同じ数だけ設けられてもよい。
【００３１】
また、内筒１２は、複数設けられなくとも、一つのみ設けられて、その一つの内筒１２に、一つあるいは複数の配線・配管材２が挿通されてもよい。
【００３２】
また、内筒１２および外筒１３は、プレート５に対して傾斜して形成されなくとも、プレート５に対して垂直となるように形成されてもよい。
【００３３】
また、保護管３の挿入を規制する挿入規制面１５は、内筒１２および外筒１３の延びる方向に直交していなくとも、内筒１２および外筒１３の延びる方向に対して傾斜してもよい。
【００３４】
また、外筒１３における固定部１４は、分割体１４ｃ、１４ｃからなり、これら分割体１４ｃ、１４ｃは、ビス等の固着具１６により固定されているが、例えば分割体１４ｃに備わる弾性変形する係止爪等の係止手段により互いに固定されてもよい。また、固定部１４は、分割体１４ｃ、１４ｃ同士が固定されることで、外筒本体１３ａに取り付けられなくとも、ビス等の固着具とか弾性変形する係止爪等の係止手段とかにより、外筒本体１３ａ自体に直接取り付けられてもよい。
【００３５】
また、配線・配管材２は、通水管の他に、ガス管等の配管材であってもよく、電力線とか通信線等の配線材であってもよい。
【００３６】
また、屋外貫通孔カバー４は、貫通孔１ａから配線・配管材２を引き出すための引出しカバーでなくとも、換気カバー等であってもよく、単に貫通孔１ａを塞ぐ閉塞カバーであってもよい。
【００３７】
また、屋外貫通孔カバー４は、合成樹脂製でなくとも、金属製等その他の材料からなっていてもよい。
【符号の説明】
【００３８】
１  壁
１ａ  貫通孔
１ｂ  屋外側の壁面
２  配線・配管材
４  屋外貫通孔カバー
５０１  フランジ
６  ガイド筒部
７  充填空間形成部
８  コーキング材
９  充填空間
１０  シート
Ｊ  屋外
【図１】
0005431258.tif 000002
【図２】
0005431258.tif 000003
【図３】
0005431258.tif 000004
【図４】
0005431258.tif 000005
【図５】
0005431258.tif 000006
【図６】
0005431258.tif 000007